(57)【特許請求の範囲】
【請求項１】
トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に、ベースゴムおよびキャップゴムを内周側から順次に配置してなるトレッドゴムとを具える空気入りラジアルタイヤにおいて、
適用リムに組み付けて、規定の内圧を充填した無負荷状態のタイヤの幅方向断面内で、
カーカスの最大幅位置を通るリム径ラインと平行な仮想直線とタイヤ外表面との交点と、この交点よりタイヤ径方向外側に位置するタイヤ最大幅位置とを結ぶ直線の、タイヤの赤道面に平行な直線に対する傾斜角度αが、０°＜α≦３０°であり、
前記タイヤ最大幅位置とトレッド接地端とを結ぶ直線の、タイヤ赤道面に平行な直線に対する傾斜角度βが、０°≦β＜３０°であり、
トレッドセンターからタイヤ最大幅位置までのタイヤ径方向距離ｈがタイヤ断面高さＳＨに対して０．２０ＳＨ≦ｈ≦０．４０ＳＨであり、
トレッド接地幅を４等分した最外側の領域内の、前記ベースゴムと前記キャップゴムとの境界線のタイヤ径方向最外側位置から、該境界線のトレッド側面との交点に引いた直線の、リム径ラインと平行な仮想直線に対する傾斜角度γが、０°≦γ≦２０°であり、且つ
前記ベースゴムの反発弾性率が、前記キャップゴムの反発弾性率の１．４２〜２．０倍であることを特徴とする空気入りラジアルタイヤ。
【請求項２】
前記傾斜角度αが、５°≦α≦１０°である、請求項１に記載の空気入りラジアルタイヤ。
【請求項３】
前記傾斜角度βが、５°≦β≦１０°である、請求項１または２に記載の空気入りラジアルタイヤ。
【請求項４】
前記距離ｈが、０．２８ＳＨ≦ｈ≦０．３６ＳＨである、請求項１〜３のいずれかに記載の空気入りラジアルタイヤ。
【請求項５】
前記ベースゴムの反発弾性率が、前記キャップゴムの反発弾性率の１．５６倍である請求項１〜４のいずれかに記載の空気入りラジアルタイヤ。
【発明の詳細な説明】
【技術分野】
【０００１】
本発明は、空気入りラジアルタイヤ、特には建設車両に用いて好適なる重荷重用空気入りラジアルタイヤに関し、走路上の石等の突起物を踏んだ際のサイドカット故障の発生を抑制するとともに、トレッドゴムの発熱量を抑制した重荷重用空気入りラジアルタイヤに関するものである。
【背景技術】
【０００２】
地下鉱山等の岩盤路を走行する建設車両用に用いられる重荷重用空気入りタイヤは、図４に、タイヤの負荷転動時の幅方向断面をその半部について模式的に示すように、サイドウォール部２２で、タイヤ幅方向外側に大きく膨出変形する。このため、タイヤの転動中に接触する石等の突起物によって、サイドウォール部２２にサイドカットが生じるおそれが高く、このサイドカットがタイヤのカーカスにまで達すると、パンク等の故障を引き起こすおそれがあった。
【０００３】
そこで従来は、このような問題に対し、複数枚のコード交錯層からなるカーカスプライを配置したバイアスタイヤが広く一般に使用されていた。これはすなわち、コード交錯層の厚みが厚いバイアスタイヤでは、サイドカット傷がタイヤの内面まで貫通し難く、耐サイドカット性に優れる利点があることによる。
【０００４】
一方、ラジアルタイヤは、製造工数、コスト面で有利であるとともに、耐摩耗性、トラクション性能、重量等の面でも優れているものの、この種の重荷重用空気入りラジアルタイヤでは、サイドウォール部に、例えばスチールコードからなるカーカスプライを一枚だけ配設する場合が多く、これに伴ってサイドウォール部のゴム厚みも薄くなることから、サイドカットがカーカスを容易に貫通して故障に到るおそれが高かった。
【０００５】
このようなサイドカット故障を抑えるために、ラジアルタイヤでは、サイドウォール部のゴム厚みを厚くしたり、特許文献１に記載されているように、タイヤのサイドゴムに耐カット性に優れたゴムを配設することで、耐サイドカット性を向上させる技術が提案されているが、これによって尚、バイアスタイヤと同等レベルまで耐サイドカット性を向上させるには到っていなかった。
【０００６】
また、サイドカットそのものを受け難くするべく、例えば特許文献２に記載されているように、適用リムに装着され、内圧を充填した無負荷常態のタイヤの幅方向断面内で、タイヤ外表面幅を、カーカス層の最大幅位置からトレッド端までの半径方向距離の０．３〜０．７倍だけ離れた範囲の位置までの間で漸増させ、かつ、前記範囲の位置からトレッド端までの間で、漸減させることで、重荷重によってサイドウォール部がタイヤ幅方向外側に大きく膨出変形したときでも、サイドウォール部を路面に対してほぼ垂直とすることで、サイドカットの発生を防止する技術が提案されている。
【０００７】
しかるに、この特許文献２に記載されたタイヤでは、トレッド接地端のタイヤ幅方向外側領域のバットレスのゴムの厚みが厚くなってゴム体積が増加し、トレッドゴムの発熱量が増大することによってトレッドゴムの耐久性が低下するおそれがあった。
【先行技術文献】
【特許文献】
【０００８】
【特許文献１】特開平０６−３２８９１２号公報
【特許文献２】特開２００１−２１３１１４号公報
【発明の概要】
【発明が解決しようとする課題】
【０００９】
そこで本発明は、走行時の石等の突起物に対する耐サイドカット性を低下させることなしに、トレッドゴムの発熱量を低減させて、トレッドゴムの耐久性の低下を抑制することが可能な重荷重用空気入りラジアルタイヤを提供することを目的とする。
【課題を解決するための手段】
【００１０】
発明者らは、上記の耐サイドカット性と低発熱性とを高次元で両立させた重荷重用空気入りラジアルタイヤを開発する方途につき鋭意検討していたところ、タイヤトレッド部に用いる低発熱性のベースゴムの配置を適正化してタイヤを設計することが効果的であることを知見し、本発明を完成するに到った。従って、上記課題を解決する本発明の要旨構成は、以下の通りである。
【００１１】
（１）トレッド部と、一対のサイドウォール部と、一対のビード部と、各ビード部内のビードコア間にトロイド状に延在する少なくとも一枚のカーカスプライからなるラジアルカーカスと、カーカスのクラウン域の外周側に、ベースゴムおよびキャップゴムを内周側から順次に配置してなるトレッドゴムとを具える空気入りラジアルタイヤにおいて、
適用リムに組み付けて、規定の内圧を充填した無負荷状態のタイヤの幅方向断面内で、
カーカスの最大幅位置を通るリム径ラインと平行な仮想直線とタイヤ外表面との交点と、この交点よりタイヤ径方向外側に位置するタイヤ最大幅位置とを結ぶ直線の、タイヤの赤道面に平行な直線に対する傾斜角度αが、０°＜α≦３０°であり、
前記タイヤ最大幅位置とトレッド接地端とを結ぶ直線の、タイヤ赤道面に平行な直線に対する傾斜角度βが、０°≦β＜３０°であり、
トレッドセンターからタイヤ最大幅位置までのタイヤ径方向距離ｈがタイヤ断面高さＳＨに対して０．２０ＳＨ≦ｈ≦０．４０ＳＨであり、
トレッド接地幅を４等分した最外側の領域内の、前記ベースゴムと前記キャップゴムとの境界線のタイヤ径方向最外側位置から、該境界線のトレッド側面との交点に引いた直線の、リム径ラインと平行な仮想直線に対する傾斜角度γが、０°≦γ≦２０°であり、且つ
前記ベースゴムの反発弾性率が、前記キャップゴムの反発弾性率の１．４２〜２．０倍であることを特徴とする空気入りラジアルタイヤ。
【００１２】
ここで、「適用リム」とは、タイヤが生産され、使用される地域に有効な産業規格であって、日本ではＪＡＴＭＡ（日本自動車タイヤ協会）  ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）  ＹＥＡＲ  ＢＯＯＫ等に規定されたリムをいうものとする。
また、「規定内圧」とは、ＪＡＴＭＡ等で規定された最高空気圧をいうものとする。
【００１３】
「タイヤ最大幅位置」とは、ＪＡＴＭＡ等に規定された適用リムに、タイヤを組み付けて、ＪＡＴＭＡ等の規格にタイヤサイズに応じて規定された、最高空気圧を充填した状態での、タイヤ幅方向断面内の最大幅位置をいうものとする。
【００１４】
「カーカスの最大幅位置」とは、ＪＡＴＭＡ等に規定された適用リムにタイヤを組み付けて、ＪＡＴＭＡ等の規格にタイヤサイズに応じて規定された、最高空気圧を充填した状態での、トロイド状に延在する少なくとも一枚のカーカスプライの、タイヤ幅方向断面内の最大幅位置をいい、複数枚のカーカスプライの場合には、最外側のカーカスプライの最大幅位置をいうものとする。
【００１５】
「タイヤ断面高さＳＨ」とは、タイヤの外径とリム径の差の１／２を言うものとする。
「トレッド接地幅」とは、タイヤを適用リムに装着して規定内圧を充填し、平板に対して垂直に置いて、ＪＡＴＭＡ規格に定める最大負荷能力に対応する荷重を負荷した際の平板との接触面におけるタイヤ軸方向最大距離を言うものとする。
【００１６】
「反発弾性率（％）」とは、ＪＩＳ  Ｋ６２５５に規定される反発弾性試験の試験方法に従って測定した数値を言う。
【００１７】
（２）前記傾斜角度αが、５°≦α≦１０°である、上記（１）に記載の空気入りラジアルタイヤ。
【００１８】
（３）前記傾斜角度βが、５°≦β≦１０°である、上記（１）または（２）に記載の空気入りラジアルタイヤ。
【００１９】
（４）前記距離ｈが、０．２８ＳＨ≦ｈ≦０．３６ＳＨである、上記（１）〜（３）のいずれかに記載の空気入りラジアルタイヤ。
【００２０】
（５）前記ベースゴムの反発弾性率が、前記キャップゴムの反発弾性率の１．５６倍である上記（１）〜（４）のいずれかに記載の空気入りラジアルタイヤ。
【発明の効果】
【００２１】
図１に、規定の質量に対応する負荷を加えた状態の本発明の空気入りラジアルタイヤを示す。この空気入りラジアルタイヤは、無負荷状態のタイヤ幅方向断面内では、前記バットレス８が、タイヤ幅方向外側に迫り出してタイヤ最大幅位置に到る形状を有し、その最大幅位置からタイヤ径方向内側ではタイヤ幅が漸減する形状を有する。これがため、荷重の作用によってサイドウォール部２のタイヤ径方向内方部分がタイヤ幅方向外側に膨出したときには、図１に示すように、バットレスからサイドウォール部２の下部にかけて、路面に対してほぼ垂直となる姿勢をとることになって、サイドカットそのものを受け難い。
【００２２】
また、本発明の空気入りラジアルタイヤは、上記傾斜角度αを３０°以下としており、これによって、上記のサイドカットの抑制の効果を発揮しつつ、タイヤのバットレスのゴム厚みが厚くなってゴム体積が増加してしまうのを防いでいる。即ち、バットレスのゴム体積の増大によるトレッドゴムの発熱量の増加を抑えることが可能である。
【００２３】
さらに、前記傾斜角度βを３０°以下とし、前記タイヤ径方向距離ｈを０．４０ＳＨ以下とすることにより、タイヤのバットレスのゴム厚みが薄くなりすぎるのを防ぐとともに、タイヤのトレッド接地幅の減少による耐摩耗性の低下を防止している。
【００２４】
一方、このタイヤは、前記タイヤ径方向距離ｈを０．２０以上としているため、タイヤのバットレスのゴム体積が増加しすぎてトレッドゴムの発熱量が増加してしまうことがない。
【００２５】
また、耐サイドカット性とバットレスのゴム体積とのバランスを鑑みるにあたり、前記傾斜角度αを５°≦α≦１０°の範囲とすることが好ましい。これにより、耐サイドカット性を向上しつつトレッドゴムの発熱量の増加をより効果的に抑制することが可能である。
【００２６】
さらに、耐摩耗性等のタイヤ諸性能との両立を図る上で、前記傾斜角度βを５°≦β≦１０°とすることが好ましく、βを５°以上とすることにより、バットレスのゴム体積を減少させてトレッドゴムの発熱量をより効果的に抑制し、また、βを１０°以下とすることにより、タイヤのトレッド接地面の減少をより効果的に防ぐことができ、例えば耐摩耗性等のタイヤ諸性能への影響を防ぐことができる。
【００２７】
本発明の空気入りタイヤは、さらに、前記タイヤ径方向距離ｈを０．３６ＳＨ以下とすることにより、耐サイドカット性の向上効果とトレッドゴムの発熱量の低減効果とをさらに効果的に得ることが可能である。
【００２８】
以上のようなタイヤは、前記ベースゴムの反発弾性率を前記キャップゴムの反発弾性率の１．５６倍とした場合に、耐摩耗性等の諸性能と耐サイドカット性能とを最もバランス良く両立させることが可能である。
【図面の簡単な説明】
【００２９】
【図１】本発明の空気入りラジアルタイヤを適用リムに組み付け、規定の空気圧を充填し、規定の質量に対応する負荷を加えて転動させた場合を模式的に示す、タイヤの半部についての幅方向断面図である。
【図２】本発明の空気入りラジアルタイヤを適用リムに組み付け、規定の空気圧を充填し、無負荷状態とした状態を示す、タイヤの半部についての幅方向断面図である。
【図３】図２の空気入りラジアルタイヤのトレッド部付近を中心とした要部拡大断面図である。
【図４】従来タイヤを適用リムに組み付け、規定の空気圧を充填し、規定の質量に対応する負荷を加えて転動させた場合をタイヤの半部について示す幅方向断面図である。
【発明を実施するための形態】
【００３０】
以下に、図面を参照しながら本発明の重荷重用ラジアルタイヤを詳細に説明する。
図２に示すところにおいて、１はトレッド部を、２はトレッド部１のそれぞれの側部に連続して半径方向内方へ延びる一対のサイドウォール部を、そして３は各サイドウォール部２の半径方向内方に連続するビード部をそれぞれ示す。
【００３１】
図示の空気入りラジアルタイヤは、各ビード部３内のビードコア４間にトロイド状に延在する少なくとも一枚のカーカスプライからなるラジアルカーカス５と、カーカス５のクラウン域の外周側に配設した少なくとも２層のスチールベルト層からなるベルト６とを具え、さらに、このベルト６の外周側に順次に配置したベースゴム７ａおよびキャップゴム７ｂからなるトレッドゴム７を具える。
【００３２】
ここで、図示の空気入りタイヤでは、適用リムＲに組み付けて、規定の内圧を充填した無負荷状態のタイヤの幅方向断面内で、カーカス５の最大幅位置を通るリム径ラインと平行な仮想直線ａとタイヤ外表面との交点ｐと、この交点よりタイヤ径方向外側に位置するタイヤ最大幅位置９とを結ぶ直線ｂの、タイヤの赤道面ＣＬに平行な直線ｃに対する傾斜角度αを、０°＜α≦３０°とする。
【００３３】
またここでは、前記タイヤ最大幅位置９とトレッド接地端１０とを結ぶ直線の、タイヤ赤道面ＣＬに平行な直線ｄに対するタイヤ幅方向内側への傾斜角度βを、０°≦β＜３０°とし、トレッドセンターからタイヤ最大幅位置９までのタイヤ径方向距離ｈを、タイヤ断面高さＳＨに対して０．２０ＳＨ≦ｈ≦０．４０ＳＨとし、トレッド接地幅ＴＷを４等分した最外側の領域Ｇ内の、前記ベースゴム７ａと前記キャップゴム７ｂとの境界線ＢＬのタイヤ径方向最外側位置Ａから、該境界線ＢＬのトレッド側面との交点に引いた直線ｅの、リム径ラインと平行な仮想直線ｆに対するタイヤ径方向内側への傾斜角度γを、０°≦γ≦２０°とし、且つ、前記ベースゴム７ａの反発弾性率を、前記キャップゴム７ｂの反発弾性率の１．４２〜２．０倍とすることが肝要である。
【００３４】
尚、図示例では、空気入りタイヤの上記ラジアルカーカス５は、各ビード部３に埋設された六角形断面のビードコア４間に、本体部分５ａをトロイド状に延在させるとともに、側部部分５ｂを、ビードコア４の周りで、タイヤ幅方向内側から外側に向けて折り返して配設してなるが、側部部分５ｂは、ビードコア４の周りでタイヤ幅方向外側から内側に向けて折り返すことも可能である。
【００３５】
ここで、カーカスプライは、例えば、タイヤ周方向と直交する方向に延びるスチールコード、有機繊維コード等にて形成することができる。また、カーカスの側部部分５ｂは、リム径ラインから測って、タイヤ断面高さＳＨの０．３０〜０．４６％の範囲まで延在させることができる。
【００３６】
前記ベルト６は、図では四層のコード交錯ベルト層により形成され、また、前記トレッドゴム７の表面には、図では省略されているが、トレッド幅方向に延びる複数本の横溝等を形成する。
【００３７】
以下に、本発明を特徴付ける構成についてより詳細に述べる。
従来、建設車両用のタイヤが地下鉱山等の岩盤路を走行する場合、図４に示す例のように、膨出変形したサイドウォール部２２にサイドカットを生じることが多かった。
【００３８】
これに対し、タイヤのバットレスのゴム体積の増加を抑制しつつサイドカットを防ぐためには、まず上記傾斜角度αを０°超とする必要がある。即ち、上記傾斜角度が０°以下である場合は、タイヤが荷重を受けてサイドウォール部２が膨出した際に、バットレス８によって走路上の石等の突起物からサイドウォール部２を保護できなくなるためである。
【００３９】
一方、上記傾斜角度αを増加させるに伴って、タイヤのバットレスのゴム体積が多くなり、トレッドゴム７の発熱量が増加してしまう傾向にあるため、上記傾斜角度αは、３０°以下である必要がある。
上記傾斜角度αが３０°以下であれば、トレッドゴム７の発熱量がそれほど大きくなることはない。
【００４０】
また、本発明において、上記傾斜角度βが大きすぎる場合、バットレス８のゴム厚みが薄くなり過ぎてしまい、十分な耐サイドカット性を確保することができず、また、タイヤのトレッド接地幅が減少することによって摩耗性に影響する可能性がある。
そのため、上記傾斜角度βは３０°より小さい必要がある。従って、上記傾斜角度は、０°≦β＜３０°である必要がある。
【００４１】
ところで、タイヤがサイドカットを受けるのは、通常、タイヤの接地面中央域からタイヤ径方向内側に０．４０ＳＨ以上離れた領域であるため、上記距離ｈは、０．４０ＳＨ以下である必要がある。一方、ｈを０．２０ＳＨ未満にすると、バットレスのゴム体積が多くなりすぎてトレッドゴム７の発熱量が増加してしまう。
従って、上記距離ｈは、タイヤ断面高さＳＨに対して０．２０ＳＨ≦ｈ≦０．４０ＳＨである必要がある。
【００４２】
本発明では、また、トレッド接地幅ＴＷを４等分した最外側の領域Ｇ内での、ベースゴム７ａとキャップゴム７ｂとの境界線ＢＬのタイヤ径方向最外側位置から、該境界線ＢＬのトレッド側面との交点に引いた直線ｅの、リム径ラインと平行な仮想直線ｆに対する傾斜角度γを、０°≦γ≦２０°とすることにより、さらに、タイヤの耐摩耗性を確保することができる。
【００４３】
通常、タイヤのトレッドゴム７において、ベースゴム７ａには、発熱量の少ない材料を用い、また、キャップゴム７ｂには、耐摩耗性に優れた材料を用いることが一般的である。そのため、図２および３に示すように、各ゴムの境界をなす直線ｅの、リム径ラインと平行な仮想直線ｆに対する傾斜角度γを、０°未満とした場合は、耐摩耗性を担保し得ないベースゴム７ａが摩耗の早期にトレッド接地面に露出して、タイヤの耐摩耗性を損ねることになる。一方で、上記傾斜角度γを２０°超とした場合は、従来品と対比した際の発熱量低減の効果を十分に得ることができない。
従って、上記傾斜角度γは、０°≦γ≦２０°とすることが必要である。
【００４４】
本発明に係るタイヤでは、また、前記ベースゴム７ａの反発弾性率を、前記キャップゴム７ｂの反発弾性率の１．４２〜２．０倍とする。
【００４５】
ベースゴム７ａの反発弾性率がキャップゴム７ｂの反発弾性率に対して１．４２倍未満である場合は、トレッドゴム７の発熱量を、有効な程度にまで低減させることができない。ところで、反発弾性率が高いゴムは一般的に耐摩耗性等の他性能に劣るため、ベースゴム７ａの反発弾性率がキャップゴム７ｂの反発弾性率の２．０倍を超えるような場合は、実際の使用には適さない。そのため、ベースゴム７ａの反発弾性率は、キャップゴム７ｂの反発弾性率に対して、１．４２〜２．０倍である必要がある。
【００４６】
また、以上のような構成を有するタイヤにおいて、前記傾斜角度αは、５°≦α≦１０°とすることがより好ましい。
前記傾斜角度αを上記範囲内とすれば、よりバットレスの発熱量の抑制とタイヤの耐サイドカット性とのバランスを一層高めることができる。
【００４７】
さらに、このタイヤでは、前記傾斜角度βを、５°≦β≦１０°とすることが好ましい。
上述の場合と同様に、前記傾斜角度βを上記範囲とすることにより、バットレスの発熱量の抑制とタイヤの耐サイドカット性とをよりバランス良く両立させることができる。
【００４８】
そしてまた、このタイヤでは、前記距離ｈを、０．２８ＳＨ≦ｈ≦０．３６ＳＨとすることが好ましい。
これによれば、バットレスそれ自体へのカットの発生を有効に抑制するとともに、前記距離を０．２８以上とすることによって、トレッドゴム７の発熱量の増加を、より効果的に抑制することができる。
【００４９】
以上のようなタイヤにおいて、前記ベースゴム７ａの反発弾性率は、前記キャップゴム７ｂの反発弾性率の１．５６倍とすることが好適である。
前記ベースゴム７ａの反発弾性率を前記キャップゴム７ｂの反発弾性率に対して１．５６倍とした場合、タイヤの耐摩耗性との低発熱性とを最もバランス良く両立させることができる。
【実施例】
【００５０】
次に、図２および図３に示すような構造を有する、サイズが２６．５Ｒ２５ＶＳＭＳのタイヤを試作し、表１に示すように、それぞれの諸元を変化させた実施例タイヤ、比較例タイヤとのそれぞれにつき、耐サイドカット性およびトレッドゴムの発熱温度を測定した。
【００５１】
（耐サイドカット性）
実施例タイヤ、比較例タイヤのそれぞれを市場へ各５０本投入し、一年後の各タイヤをサンプリングし、それぞれのカット故障本数／供試タイヤ本数を調査した。この評価結果を表１に示す。
【００５２】
（発熱温度）
実施例タイヤ、比較例タイヤのそれぞれを、２２．００／３．０のリムに組み付けて、内圧を６５０ｋＰａ、負荷重量１８５００ｋｇとし、試験速度５ｋｍ／ｈにてドラム試験機で、２４時間走行させて、図３に示す点Ｐ上での温度を測定して評価した。この評価結果を表１に示す。尚、点Ｐは、タイヤの幅方向断面上において、トレッド端からラジアルカーカス５の厚み中心線に引いた垂線と、該カーカスの表面との交点から１．５ｍｍ離れた該垂線上の点である。
【００５３】
【表１】
0005465990.tif 000002
【００５４】
表１より、比較例タイヤのトレッドゴムの発熱温度が１１６℃と高温であるのに対し、本発明の実施例タイヤ１〜３では、この発熱温度がいずれも１１１℃以下と低温であることがわかる。ここで、トレッドゴムの発熱温度が１１２℃以下であればこの発熱による不具合を生じることがなく、市場において問題の無い水準であると言える。
【００５５】
また、実施例タイヤ１〜３は、耐サイドカット性について比較例タイヤ１よりも優れている。従って、上記結果より、実施例タイヤ１〜３は、比較例タイヤ１及び２に対し、トレッドゴムの発熱温度を増加させることなく、耐サイドカット性を向上していると言える。
【符号の説明】
【００５６】
ＣＬ  赤道面
１    トレッド部
２    サイドウォール部
３    ビード部
４    ビードコア
５    ラジアルカーカス
５ａ  本体部分
５ｂ  折返し部分
６    ベルト
７    トレッドゴム
７ａ  ベースゴム
７ｂ  キャップゴム
８    バットレス
ＴＷ  トレッド接地幅
ＳＨ  タイヤ断面高さ
ＢＬ  ベースゴムとキャップゴムとの境界線
Ｒ    適用リム
【図１】
0005465990.tif 000003
【図２】
0005465990.tif 000004
【図３】
0005465990.tif 000005
【図４】
0005465990.tif 000006